(57)【要約】【課題】自動検針無線機の無線通信時における通信不良原因を容易に識別でき、メンテナンス性を高めた自動検針無線機計測装置を提供すること。【解決手段】周波数帯域における電波の有無を検出する複数の電波検出部８と、第１と第２の周波数帯域における通信内容を解析する電文解析部１０、１３と、通信でない電波を判定するノイズ検出部１１、１４と、現在時刻を計数する時刻計数部１５と、受信した内容を記憶する記憶部１６と、記憶部１６に記憶された内容を電文表示部１７に表示させる制御部１８からなり、電文表示部１７に対しそれぞれ受信時刻順に受信内容またはノイズ検出の表示を行ように制御することにより、無線通信不良の原因が容易に識別できる。【選択図】  図１
2004158952.tif 000002
【特許請求の範囲】
【請求項１】
隔測検針装置と接続される無線親機とメータに接続される無線子機間の複数の周波数帯域における電波の有無を検出する複数の電波検出部と、複数の周波数帯域の中の第１の周波数帯域における電波から通信内容を解析し送信する第１の電文解析部と、第１の周波数帯域における通信でない電波を判定する第１のノイズ検出部と、第２の周波数帯域における電波から通信内容を解析し送信する第２の電文解析部と、第２の周波数帯域における通信でない電波を判定する第２のノイズ検出部と、現在時刻を計数する時刻計数部と、前記第１の電文解析部および第２の電文解析部から受信した内容を記憶する記憶部と、前記記憶部に記憶された内容を電文表示部に表示させる制御部からなり、前記制御部は、前記第１の電文解析部または前記第２の電文解析部から通信内容を受信したとき、前記時刻計数部から入力した時刻と通信内容を前記記憶部に記憶し、前記第１のノイズ検出部または第２のノイズ検出部からノイズ検出信号を受信したとき、前記時刻計数部から入力した時刻とノイズ検出を前記記憶部に記憶するとともに、前記電文表示部に対しそれぞれ受信時刻順に受信内容またはノイズ検出の表示を行うように制御する自動検針無線計測装置。
【請求項２】
第１の周波数帯域における通信でないノイズの継続時間を測定する第１のノイズ時間測定部と、第２の周波数帯域における通信でないノイズの継続時間を測定する第２のノイズ時間測定部とを備え、受信した電文内容とともにノイズ継続時間を電文表示部に表示させる請求項１に記載の自動検針無線計測装置。
【請求項３】
第１の周波数帯域を選択する第１の周波数選択部と、第２の周波数帯域を選択する第２の周波数選択部とを備えた請求項１に記載の自動検針無線計測装置。
【請求項４】
第１の周波数帯域における電波強度を測定する第１の電波強度測定部と、第２の周波数電波強度を測定する第２の電波強度測定部とを備え、受信した電文内容とともに電波強度を電文表示部に表示させる請求項１に記載の自動検針無線計測装置。
【請求項５】
第１の周波数帯域における電波から通信内容を解析する第１の電文解析部において、通信電波を検出すると第１の音色で電波受信を知らせる第１の通信音色発生部と、第２の周波数帯域における電波から通信内容を解析する第２の電文解析部において、通信電波を検出すると第２の音色で電波受信を知らせる第２の通信音色発生部とを備えた請求項１に記載の自動検針無線計測装置。
【請求項６】
第１の周波数帯域における通信でない電波を判定する第１のノイズ検出部おいて、ノイズ電波を検出すると第１の音色でノイズ受信を知らせる第１のノイズ音色発生部と、第２の周波数帯域における通信でない電波を判定する第２のノイズ検出部おいて、ノイズ電波を検出すると第２の音色でノイズ受信を知らせる第２のノイズ音色発生部とを備えた請求項１に記載の自動検針無線計測装置。
【発明の詳細な説明】
【０００１】
【発明の属する技術分野】
本発明はガス、水道、電気等の使用量の検針を行う際の自動検針無線機の通信状態を計測する自動検針無線計測装置に関するものである。
【０００２】
【従来の技術】
従来、家庭やオフィスあるいは工場などのガス、水道、電気等の使用量を測定するためのメータに記録されたデータを電話等の通信回線を介して隔測検針装置であるセンタに回収する自動検針システムが普及し、この自動検針システムは、たとえば、各需要家に設置されている電話用の回線とメータとを通信線で接続し、電話回線を介してセンタとメータとで通信を行うものである。
【０００３】
ところで、このような自動検針システムの場合、電話用の回線とメータとを通信線で接続する必要があるため、需要家の屋内外に通信線を引き回し配線する手間と費用が必要であった。特に、電話用の回線とメータとが離れている場合は、この配線作業がかなりの負担であり、既設の家屋の場合には配線が無理な場合さえあった。
【０００４】
そこで、各需要家の電話用の回線に端末網制御装置（以下「Ｔ−ＮＣＵ」という）を介して無線親機を接続するとともにメータに無線子機を接続し、無線親機と無線子機との間を無線で通信を行うようにすることにより、屋内外の配線を不要とする自動検針システムが提案されている（例えば、特許文献１参照）。このシステムにおいて、無線親機と無線子機の登録作業は、無線子機とメータの接続後、所定の操作、たとえば無線子機と無線親機の起動用スイッチ等を同時に入力することによって無線子機がメータからメータ管理ＩＤを取得し、この取得したメータ管理ＩＤを無線送信により無線親機に送信し、無線親機は無線子機からメータ管理ＩＤを取得すると、次に親機の持っている無線通信に必要な通信情報を無線子機に送信するものである。これにより、無線親機と無線子機の登録作業が完了し、以降隔測検針装置であるセンタからメータまでの通信が可能となる。
【０００５】
【特許文献１】
特開平６−８５９３８号公報
【０００６】
【発明が解決しようとする課題】
しかしながら、前記従来の自動検針システムにおいては、無線親機と無線子機の登録作業後、隔測検針装置であるセンタからの通信が可能となるわけであるが、無線通信においては通信周波数帯域における妨害波などがあり、無線通信不良となることがある。また、無線通信においてはメータにとりつけられた無線子機の設置条件とりわけ周辺の電波遮蔽物や電波送信部に直接影響して無線信号の品質を低下させ、通信不良が発生することがしばしばある。
【０００７】
特に、集合住宅においては周りの建物や、各部屋のレイアウト等によって大きく影響される場合があり、無線通信における通信不良の原因を検出することは作業現場においては非常に困難であり、正常通信できるまでかなりの時間がかかってしまうという問題がある。
【０００８】
本発明は、前記従来の課題を解決するもので、自動検針無線機の無線通信時における通信不良となる原因を容易に識別することができ、自動検針システムのメンテナンス性を高めることができる自動検針無線機計測装置を提供することを目的とする。
【０００９】
【課題を解決するための手段】
前記目的を達成するために、本発明の自動検針無線機計測装置は、隔測検針装置と接続される無線親機とメータに接続される無線子機間の複数の周波数帯域における電波の有無を検出する複数の電波検出部と、複数の周波数帯域の中から通信内容を解析し送信する第１、第２の電文解析部と、周波数帯域における通信でない電波を判定する第１、第２のノイズ検出部と、現在時刻を計数する時刻計数部と、前記第１の電文解析部および第２の電文解析部から受信した内容を記憶する記憶部と、前記記憶部に記憶された内容を電文表示部に表示させる制御部からなり、前記制御部は、前記第１の電文解析部または前記第２の電文解析部から通信内容を受信したとき、前記時刻計数部から入力した時刻と通信内容を前記記憶部に記憶し、前記第１のノイズ検出部または第２のノイズ検出部からノイズ検出信号を受信したとき、前記時刻計数部から入力した時刻とノイズ検出を前記記憶部に記憶するとともに、前記表示部に対しそれぞれ受信時刻順に受信内容またはノイズ検出の表示を行うように制御するようにしたものである。
【００１０】
これにより、自動検針無線機の無線通信時における通信不良となる原因を容易に識別することができ、自動検針システムのメンテナンス性を高めることができる。
【００１１】
【発明の実施の形態】
請求項１に記載の発明は、隔測検針装置と接続される無線親機とメータに接続される無線子機間の複数の周波数帯域における電波の有無を検出する複数の電波検出部と、複数の周波数帯域の中の第１の周波数帯域における電波から通信内容を解析し送信する第１の電文解析部と、第１の周波数帯域における通信でない電波を判定する第１のノイズ検出部と、第２の周波数帯域における電波から通信内容を解析し送信する第２の電文解析部と、第２の周波数帯域における通信でない電波を判定する第２のノイズ検出部と、現在時刻を計数する時刻計数部と、前記第１の電文解析部および第２の電文解析部から受信した内容を記憶する記憶部と、前記記憶部に記憶された内容を電文表示部に表示させる制御部からなり、前記制御部は、前記第１の電文解析部または前記第２の電文解析部から通信内容を受信したとき、前記時刻計数部から入力した時刻と通信内容を前記記憶部に記憶し、前記第１のノイズ検出部または第２のノイズ検出部からノイズ検出信号を受信したとき、前記時刻計数部から入力した時刻とノイズ検出を前記記憶部に記憶するとともに、前記電文表示部に対しそれぞれ受信時刻順に受信内容またはノイズ検出の表示を行うように制御する自動検針無線計測装置とすることにより、自動検針無線機の無線通信時における通信不良となる原因を容易に識別することができ、自動検針システムのメンテナンス性を高めることができる。
【００１２】
請求項２に記載の発明は、第１の周波数帯域における通信でないノイズの継続時間を測定する第１のノイズ時間測定部と、第２の周波数帯域における通信でないノイズの継続時間を測定する第２のノイズ時間測定部とを備え、受信した電文内容とともにノイズ継続時間を電文表示部に表示させる請求項１に記載の自動検針無線計測装置とすることにより、自動検針無線機の無線通信時における通信不良となる原因が、ノイズ継続時間表示で、さらに容易に識別することができ、自動検針システムのメンテナンス性を高めることができる。
【００１３】
請求項３に記載の発明は、第１の周波数帯域を選択する第１の周波数選択部と、第２の周波数帯域を選択する第２の周波数選択部とを備えた請求項１に記載の自動検針無線計測装置とすることにより、システム毎に通信チャンネルが競合しないように、設定変更して通信する場合にも対応できるため、自動検針システムのメンテナンス性をより高めることができる。
【００１４】
請求項４に記載の発明は、第１の周波数帯域における電波強度を測定する第１の電波強度測定部と、第２の周波数電波強度を測定する第２の電波強度測定部とを備え、受信した電文内容とともに電波強度を電文表示部に表示させる請求項１に記載の自動検針無線計測装置とすることにより、自動検針無線機の無線通信時における通信不良となる原因が、電波強度表示で、さらに容易に識別することができ、自動検針システムのメンテナンス性を高めることができる。
【００１５】
請求項５に記載の発明は、第１の周波数帯域における電波から通信内容を解析する第１の電文解析部において、通信電波を検出すると第１の音色で電波受信を知らせる第１の通信音色発生部と、第２の周波数帯域における電波から通信内容を解析する第２の電文解析部において、通信電波を検出すると第２の音色で電波受信を知らせる第２の通信音色発生部とを備えた請求項１に記載の自動検針無線計測装置とすることにより、第１の周波数帯域と第２の周波数帯域のどちらで通信を受信したか音色で聞き分けでき、自動検針システムのメンテナンス性を高めることができる。
【００１６】
請求項６に記載の発明は、第１の周波数帯域における通信でない電波を判定する第１のノイズ検出部おいて、ノイズ電波を検出すると第１の音色でノイズ受信を知らせる第１のノイズ音色発生部と、第２の周波数帯域における通信でない電波を判定する第２のノイズ検出部おいて、ノイズ電波を検出すると第２の音色でノイズ受信を知らせる第２のノイズ音色発生部とを備えた請求項１に記載の自動検針無線計測装置とすることにより、第１の周波数帯域と第２の周波数帯域のどちらでノイズを検出したか音色で聞き分けでき、自動検針システムのメンテナンス性を高めることができる。
【００１７】
【実施例】
以下、本発明の実施例について図面を用いて説明する。
【００１８】
（実施例１）
図１は本発明の実施例１における自動検針無線機を含む自動検針システムと自動検針無線計測装置を示している。
【００１９】
図において、１は隔測検針装置であり、回線およびＴ−ＮＣＵ２を介して自動検針無線機３の無線親機４と接続される。自動検針無線機３の無線子機５は前記無線親機４に対向して設けられ需要家のメータ６に接続される。無線親機４と無線子機５は、第１の周波数帯域で無線による通信を行ない、第１の周波数帯域が使用中の場合、第２の周波数帯域に切り換えて無線による通信を行ない、隔測検針装置１とメータ６との間を通信可能としてメータ６の検針行なうものである。
【００２０】
７は自動検針無線機３に対して無線の通信状態を計測する自動検針無線計測装置、８は第１の周波数帯域における電波の有無を検出する第１の電波検出部９と、第２の周波数帯域における電波の有無を検出する第２の電波検出部１２を含む複数の電波検出部、１０は第１の周波数帯域における電波から通信内容を解析する第１の電文解析部、１１は第１の周波数帯域における通信でない電波を判定する第１のノイズ検出部、１３は第２の周波数帯域における電波から通信内容を解析する第２の電文解析部、１４は第２の周波数帯域における通信でない電波を判定する第２のノイズ検出部、１５は現在時刻を計数する時刻計数部、１６は第１の電文解析部１０および第２の電文解析部１３から受信した内容を記憶する記憶部、１８は記憶部１６に記憶された内容を電文表示部１７に表示させる制御部である。
【００２１】
センターからの自動検針の場合、隔測検針装置１から回線およびＴ−ＮＣＵ２を介して自動検針無線機３の無線親機４に対して、メータ６の検針要求を送信し、無線親機４から無線子機５に対してメータ６の検針要求を無線送信して、無線子機５が需要家のメータ６に対して検針要求を送信する。無線子機５はメータ６からの検針応答を受信すると、無線親機４対して検針応答を無線送信し、無線親機４からＴ−ＮＣＵ２を介して隔測検針装置１に検針応答を送信する。こうして、メータ６の検針値をセンターで集中検針できる。
【００２２】
無線通信の解析および表示は、無線親機４〜無線子機５間における相互の無線通信を監視し、第１の電波検出部９で第１の周波数帯域における電波を検出すると、第１の電文解析部１０で第１の周波数帯域における電波から通信内容を解析し通信内容を制御部１８に送信する。また、第２の電波検出部１２で第２の周波数帯域における電波を検出すると、第２の電文解析部１３で第２の周波数帯域における電波から通信内容を解析し通信内容を制御部１８に送信する。制御部１８は通信内容を受信すると、時刻計数部１５から現在時刻を同時に読み取り、記憶部１６に通信内容および現在時刻を記憶させる。
【００２３】
このときの無線通信内容は、送信元アドレス、送信先アドレス、データ種別、データ本文等であり、どこからどこへどのような通信が行われたかが判断できるものである。
【００２４】
また、第１のノイズ検出部１１は、第１の周波数帯域における通信でない電波を判定し、ノイズ検出信号を制御部１８に送信する。第２のノイズ検出部１４は、第２の周波数帯域における通信でない電波を判定し、ノイズ検出信号を制御部１８に送信する。制御部１８はノイズ検出信号を受信すると、時刻計数部１５から現在時刻を同時に読み取り、記憶部１６にノイズ検出および現在時刻を記憶させる。
【００２５】
制御部１８は、記憶部１６に記憶された通信内容、ノイズ検出および通信時刻、ノイズ発生時刻等を受信時刻順に電文表示部１７に表示させる。なお、通信内容とノイズ検出の表示は、同時表示するかあるいはいずれか一方の表示であってもよい。
【００２６】
以上、本実施例によれば、自動検針無線機の無線通信時における通信不良となる原因を電文表示部１７で容易に識別することができ、自動検針システムのメンテナンス性を高めることができる。
【００２７】
（実施例２）
次に、図２は本発明の実施例２における自動検針無線計測装置を示すものである。実施例１と基本構成は同一であるので、同一部分に同一符号を付して説明を省略する。
【００２８】
相違点は、第１の周波数帯域における通信でないノイズの継続時間を測定する第１のノイズ時間測定部１９と、第２の周波数帯域における通信でないノイズの継続時間を測定する第２のノイズ時間測定部２０とを備え、受信した電文内容とともにノイズ継続時間を電文表示部１７に表示させるようにしたことである。
【００２９】
すなわち、第１のノイズ時間測定部１９は第１の周波数帯域における通信でないノイズの継続時間を測定し、制御部１８に送信する。第２のノイズ時間測定部２０は第２の周波数帯域における通信でないノイズの継続時間を測定し、制御部１８に送信する。制御部１８は記憶部１６に記憶された通信内容、ノイズ検出および通信時刻、ノイズ発生時刻、ノイズ継続時間等を電文表示部１７に表示させるものである。
【００３０】
以上、本実施例によれば、自動検針無線機の無線通信時における通信不良となる原因が、ノイズ継続時間表示で、さらに容易に識別することができ、自動検針システムのメンテナンス性を高めることができる。
【００３１】
（実施例３）
次に、図３は本発明の実施例３における自動検針無線計測装置を示すものである。実施例１と基本構成は同一であるので、同一部分に同一符号を付して説明を省略する。
【００３２】
相違点は、第１の周波数帯域を選択する第１の周波数選択部２１と、第２の周波数帯域を選択する第２の周波数選択部２２とを備えたことである。
【００３３】
第１の周波数選択部２１は第１の周波数帯域（メインチャンネル）たとえば１チャンネルから６チャンネルのなかから希望のチャンネルを選択する。第２の周波数選択部２２は第２の周波数帯域（サブチャンネル）たとえば１チャンネルから６チャンネルのなかから希望のチャンネルを選択する。第１の周波数選択部２１からのチャンネル選択により制御部１８は、第１の電波検出部９に対してチャンネルの変更を行う。第２の周波数選択部２２からのチャンネル選択により制御部１８は、第２の電波検出部１２に対してチャンネルの変更を行う。
【００３４】
以上、本実施例によれば、システム毎に通信チャンネルが競合しないように、設定変更して通信する場合にも対応できるため、自動検針システムのメンテナンス性をより高めることができる。
【００３５】
（実施例４）
次に、図４は本発明の実施例４における自動検針無線計測装置を示すものである。実施例１と基本構成は同一であるので、同一部分に同一符号を付して説明を省略する。
【００３６】
相違点は、第１の周波数帯域における電波強度を測定する第１の電波強度測定部２３と、第２の周波数電波強度を測定する第２の電波強度測定部２４とを備え、受信した電文内容とともに電波強度を電文表示部１７に表示させるようにしたことである。
【００３７】
第１の電波強度測定部２３は第１の周波数帯域における電波強度を測定して制御部１８に送信し、制御部１８は第１の周波数帯域における電波強度を記憶部１６に記憶させる。第２の電波強度測定部２４は第２の周波数帯域における電波強度を測定して制御部１８に送信し、制御部１８は第２の周波数帯域における電波強度を記憶部１６に記憶させる。
【００３８】
制御部１８は記憶部１６に記憶された通信内容、ノイズ検出および通信時刻、ノイズ発生時刻と電波強度等を電文表示部１７に表示させる。この電波強度によりどこからの無線通信が強いか弱いかが判断できる。
【００３９】
以上、本実施例では、自動検針無線機の無線通信時における通信不良となる原因が、電波強度表示で、さらに容易に識別することができ、自動検針システムのメンテナンス性を高めることができる。
【００４０】
（実施例５）
次に、図５は本発明の実施例５における自動検針無線計測装置を示すものである。実施例１と基本構成は同一であるので、同一部分に同一符号を付して説明を省略する。
【００４１】
相違点は、第１の周波数帯域における電波から通信内容を解析する第１の電文解析部１０において、通信電波を検出すると第１の音色で電波受信を知らせる第１の通信音色発生部２５と、第２の周波数帯域における電波から通信内容を解析する第２の電文解析部１３において、通信電波を検出すると第２の音色で電波受信を知らせる第２の通信音色発生部２６とを備えたことである。
【００４２】
第１の電文解析部１０において第１の周波数帯域における電波から通信内容を解析すると、第１の通信音色発生部２５から第１の音色を発生し電波受信を知らせる。第２の電文解析部１３において第２の周波数帯域における電波から通信内容を解析すると、第２の通信音色発生部２６から第２の音色を発生し電波受信を知らせる。この場合、第１の音色と第２の音色はブザー音などで発振周波数を変えれば容易に聞き分けできる。
【００４３】
以上、本実施例では、第１の周波数帯域と第２の周波数帯域のどちらで通信を受信したか音色で聞き分けることができ、自動検針システムのメンテナンス性を高めることができる。
【００４４】
（実施例６）
次に、図６は本発明の実施例６における自動検針無線計測装置を示すものである。実施例１と基本構成は同一であるので、同一部分に同一符号を付して説明を省略する。
【００４５】
相違点は、第１の周波数帯域における通信でない電波を判定する第１のノイズ検出部１１おいて、ノイズ電波を検出すると第１の音色でノイズ受信を知らせる第１のノイズ音色発生部２７と、第２の周波数帯域における通信でない電波を判定する第２のノイズ検出部１４おいて、ノイズ電波を検出すると第２の音色でノイズ受信を知らせる第２のノイズ音色発生部２８とを備えたことである。
【００４６】
第１のノイズ音色発生部２７は、第１の周波数帯域における通信でない電波を判定する第１のノイズ検出部１１において、ノイズ電波を検出すると第１の音色を発生しノイズ受信を知らせる。第２のノイズ音色発生部２８は、第２の周波数帯域における通信でない電波を判定する第２のノイズ検出部１４において、ノイズ電波を検出すると第２の音色を発生しノイズ受信を知らせる。この場合、第１の音色と第２の音色はブザー音などで発振周波数を変えれば容易に聞き分けできる。
【００４７】
以上、本実施例では、第１の周波数帯域と第２の周波数帯域のどちらでノイズを検出したか音色で聞き分けることができ、自動検針システムのメンテナンス性を高めることができる。
【００４８】
上記した各実施例１〜６は、必要に応じて適宜組合せて構成することができるものであり、実施例そのものに限られるものではない。
【００４９】
【発明の効果】
以上説明したように、本発明の自動検針無線計測装置によれば、自動検針無線機の無線通信時における通信不良となる原因を容易に識別することができ、自動検針システムのメンテナンス性を高めることができる。
【図面の簡単な説明】
【図１】本発明の実施例１における自動検針無線機を含む自動検針システムと自動検針無線計測装置のブロック図
【図２】本発明の実施例２における自動検針無線機を含む自動検針システムと自動検針無線計測装置のブロック図
【図３】本発明の実施例３における自動検針無線機を含む自動検針システムと自動検針無線計測装置のブロック図
【図４】本発明の実施例４における自動検針無線機を含む自動検針システムと自動検針無線計測装置のブロック図
【図５】本発明の実施例５における自動検針無線機を含む自動検針システムと自動検針無線計測装置のブロック図
【図６】本発明の実施例６における自動検針無線機を含む自動検針システムと自動検針無線計測装置のブロック図
【符号の説明】
１    隔測検針装置
２  Ｔ−ＮＣＵ
３  自動検針無線機
４  無線親機
５  無線子機
６  メータ
７  自動検針無線計測装置
８  複数の電波検出部
９  第１の電波検出部
１０  第１の電文解析部
１１  第１のノイズ検出部
１２  第２の電波検出部
１３  第２の電文解析部
１４  第２のノイズ検出部
１５  時刻計数部
１６  記憶部
１７  電文表示部
１８  制御部
１９  第１のノイズ時間測定部
２０  第２のノイズ時間測定部
２１  第１の周波数選択部
２２  第２の周波数選択部
２３  第１の電波強度検出部
２４  第２の電波強度検出部
２５  第１の通信音色発生部
２６  第２の通信音色発生部
２７  第１のノイズ音色発生部
２８  第２のノイズ音色発生部
【図１】
2004158952.tif 000003
【図２】
2004158952.tif 000004
【図３】
2004158952.tif 000005
【図４】
2004158952.tif 000006
【図５】
2004158952.tif 000007
【図６】
2004158952.tif 000008